(57)【要約】【課題】収容部に横臥状態で収容された複数膳分の未使用箸の中から、使用者が使用で希望する未使用箸を片手操作で容易かつ衛生的に取り出すことができる箸収容箱を提供すること。【解決手段】横臥状態で複数の未使用箸を収容する上部が開放可能な箱状の収容部と、収容部の底部から起立する支柱部と、支柱部の上端部に設けられて収容部に収容された複数の未使用箸のうちの使用者が把持し得る未使用箸を支持する支持部と、収容部に収容された複数の未使用箸Ｓを載置して支柱部に沿って昇降可能なリフタと、リフタに設けられて、当該リフタを上昇させることにより収容部に収容された複数の未使用箸を上昇させ、リフタに載置した複数の未使用箸のうちの使用者が使用で希望する未使用箸を横臥状態のまま支持部に移動させるガイド部とを備える。【選択図】図２
0003216886.tif 000002
【実用新案登録請求の範囲】
【請求項１】
横臥状態で複数の未使用箸を収容する上部が開放可能な箱状の収容部と、
前記収容部の底部から起立する支柱部と、前記支柱部の上端部に設けられて前記収容部に収容された複数の未使用箸のうちの使用者が把持し得る未使用箸を支持する支持部と、  前記収容部に収容された複数の未使用箸を載置して前記支柱部に沿って昇降可能なリフタと、
前記リフタに設けられて、当該リフタを上昇させることにより前記収容部に収容された複数の未使用箸を上昇させ、前記リフタに載置した前記複数の未使用箸のうちの使用者が使用で希望する未使用箸を横臥状態のまま前記支持部に移動させるガイド部と、
を備えることを特徴とする箸収容箱。
【請求項２】
前記支持部は、前記リフタが下降状態にあるときに、前記上端部が前記収容部の上部から突出していることを特徴とする請求項１に記載の箸収容箱。
【請求項３】
前記支持部は、前記ガイド部から移動した未使用箸を支持し得る長さ寸法及び幅寸法を有すると共に幅方向に沿って一対の分割支持部を有し、前記ガイド部は前記支柱部を挟んで一対設けられていることを特徴とする請求項１又は請求項２に記載の箸収容箱。
【請求項４】
前記分割支持部の間に突条部を有することを特徴とする請求項３に記載の箸収容箱。
【請求項５】
前記ガイド部は、前記支柱部に対して下向きに傾斜していることを特徴とする請求項３又は請求項４に記載の箸収容箱。
【請求項６】
前記支持部は、前記ガイド部から移動した未使用箸の頭部側に前記未使用箸を取り上げるための空間部を有することを特徴とする請求項１から請求項５の何れか１の請求項に記載の箸収容箱。
【請求項７】
前記支持部は、前記ガイド部から移動した未使用箸が脱落しないように、前記未使用箸を保持する保持面部を有することを特徴とする請求項１から請求項６の何れか１の請求項に記載の箸収容箱。
【請求項８】
前記保持面部は  前記収容部に収容された複数の未使用箸の断面形状に応じて、平面部、傾斜面部、一対の凹面部を有することを特徴とする請求項７に記載の箸収容箱。
【考案の詳細な説明】
【技術分野】
【０００１】
本考案は、箸収容箱に関し、特に、飲食物を提供する店舗において、テーブル等に座った顧客（使用者）が使用を希望する未使用箸を取り出してもらうように、複数膳分の未使用棒状箸又は未使用割り箸を寝かせた状態（横臥状態）で収容した箸収容箱に関する。
【背景技術】
【０００２】
従来から、食堂等の飲食物を提供する店舗において、注文された食物を配膳する際に一膳分の未使用棒状の箸又は未使用割り箸（以下、特定の場合を除いて単に「未使用箸」と称する。）をテーブル上に置かず、テーブル上に配置した箸収容箱から、使用者が、未使用箸を適宜取り出してもらうようにされている。
【０００３】
このような箸収容箱には、先に利用した使用者が未使用箸を取り出す際に、未使用箸の先端側に触れてしまい、後の使用者がその箸を使用するような事態があると衛生面では好ましくはない。
【０００４】
このような観点から、従来、一膳分の未使用箸を箸収容箱から容易かつ衛生的に取り出せるようにした箸収容箱が既に知られている（例えば、特許文献１参照）。
【０００５】
この特許文献1に開示の箸収容箱は、複数膳分の未使用棒状箸を収容した箱状の収容部に、これら複数膳分の未使用棒状箸から一膳分を取り出すための開口部と、一膳分の未使用棒状箸を支持するための支持部と、を設けるとともに、収容した複数膳分の未使用棒状箸の頭部側が上向きとなるように収容部を傾斜状態とするスプリングを設け、このスプリングの付勢に抗して収容部を平坦状態に押し下げると、一膳分の未使用棒状箸の頭部側が開口部から突出して引き抜き可能に構成されている。
【先行技術文献】
【特許文献】
【０００６】
【特許文献１】特開２０１１−１４７６１９号公報
【考案の概要】
【考案が解決しようとする課題】
【０００７】
このような先行技術文献に開示された箸収容箱にあっては、スプリングは、その付勢によって未使用棒状箸の頭部側が上向きとなるように収容部が常時傾斜した状態となるように構成されている。
【０００８】
このため、使用者が箸を利用する際に、収容部をスプリングの付勢に抗して不完全に押し下げた後、手を放した際には、収容部が元の傾斜状態へと復帰してしまい、一膳分の未使用箸も収容部の内部に再び戻ってしまい、未使用箸を取り出すことができなくなる。
【０００９】
したがって、引用文献１に開示の収容箱から一膳分の未使用箸を取り出すためには、収容部を完全に押し下げ操作する一方の片手による作業と、未使用箸を引き抜き操作する他方の片手の作業とが同時並行する両手作業を余儀なくされてしまうことから箸の取り出し作業が煩雑であった。
【００１０】
しかも、引用文献１記載の発明にあっては、開口部からは一膳分の未使用箸が頭部のみが露出するものであるため、未使用箸を斜めに引き抜く必要がある。
【００１１】
しかしながら、一方の手は、一膳分の未使用箸の引き抜き方向には、スプリングの付勢に抗して収容部を平坦状状態へと押し下げ操作するために使用されており、他方の手で未使用箸の引き抜き操作をしなければならず、両手を使用することは煩雑であった。
【００１２】
本考案は、上述のような課題を解決するために、収容部に横臥状態で収容された複数膳分の未使用箸の中から、使用者が使用で希望する未使用箸を片手の操作で容易かつ衛生的に取り出すことができる箸収容箱を提供することを目的とする。
【課題を解決するための手段】
【００１３】
本考案に係る箸収容箱は、上記目的を達成するため、横臥状態で複数の未使用箸を収容する上部が開放可能な箱状の収容部と、前記収容部の底部から起立する支柱部と、前記支柱部の上端部に設けられて前記収容部に収容された複数の未使用箸のうちの使用者が把持し得る未使用箸を支持する支持部と、前記収容部に収容された複数の未使用箸を載置して前記支柱部に沿って昇降可能なリフタと、前記リフタに設けられて、当該リフタを上昇させることにより前記収容部に収容された複数の未使用箸を上昇させ、前記リフタに載置した前記複数の未使用箸のうちの使用者が使用で希望する未使用箸を横臥状態のまま前記支持部に移動させるガイド部とを備えることを特徴とする。
【００１４】
請求項２に記載の箸収容箱は、前記支持部は、前記リフタが下降状態にあるときに、前記上端部が前記収容部の上部から突出していることを特徴とする。
【００１５】
請求項３に記載の箸収容箱は、前記支持部は、前記ガイド部から移動した未使用箸を支持し得る長さ寸法及び幅寸法を有し、幅方向に沿って一対の分割支持部を有し、前記ガイド部は前記支柱部を挟んで一対設けられていることを特徴とする。
【００１６】
請求項４に記載の箸収容箱は、前記分割支持部の間に突条部を有することを特徴とする。
【００１７】
請求項５に記載の箸収容箱は、前記ガイド部は前記支柱部に対して夫々下向きに傾斜していることを特徴とする。
【００１８】
請求項６に記載の箸収容箱は、前記支持部は前記ガイド部から移動した未使用箸の少なくとも頭側に、当該未使用箸を取り上げるための空間部を有することを特徴とする。
【００１９】
請求項７に記載の箸収容箱は、前記支持部は前記ガイド部から移動した未使用箸が脱落しないように、当該未使用箸を保持する保持面部を有することを特徴とする。
【００２０】
請求項８に記載の箸収容箱は、前記保持面部は前記収容部に収容された複数の未使用箸の断面形状に応じて、平面部、傾斜面部、一対の凹面部を有することを特徴とする。
【考案の効果】
【００２１】
請求項１記載の考案によれば、上部が開放可能な箱状の収容部に横臥状態で複数の未使用箸が収容される。この収容部には底部から起立する支柱部が設けられており、この支柱部の上端部に設けた支持部で収容部に収容された複数の未使用箸のうちの使用者が把持し得る未使用箸を支持することができる。
【００２２】
一方、収容部には収容部に収容された複数の未使用箸を載置して状態で支柱部に沿って昇降可能なリフタを備えるとともに、このリフタに、上昇に伴って複数の未使用箸のうちの使用者が使用で希望する未使用箸を横臥状態のまま支持部に移動させるガイド部が設けられている。
【００２３】
従って、リフタを昇降させるという使用者の片手の操作だけで、横臥状態のまま使用者が使用で希望する未使用箸を支柱部の支持部に移動させることができる。その結果、収容部に横臥状態で収容された複数膳分の未使用箸の中から、使用者が使用で希望する未使用箸を片手で容易かつ衛生的に取り出すことができる。
【００２４】
また、請求項２記載の考案にあっては、リフタが下降状態にあるときには、支持部の上端部が収容部の上部から突出していることにより、リフタが下降状態にある間は収容部に収容した未使用橋が不測に支持部に移動されてしまうことを抑制することができる。
【００２５】
また、請求項３記載の考案にあっては、支持部はガイド部から移動した未使用箸を支持し得る長さ寸法及び幅寸法を有し、幅方向に沿って一対の分割支持部を有し、ガイド部は、支柱部を挟んで一対設けられていることから、例えば、対面する二人の使用者が同時に使用で希望する未使用箸を取り出すことができる。
【００２６】
また、請求項４記載の考案にあっては、前記分割支持部の間には突条部を有することにより、使用者が使用で希望する未使用箸が互いに混在してしまうことを抑制することができる。
【００２７】
また、請求項５記載の考案にあっては、ガイド部は支柱部に対して夫々下向きに傾斜していることにより、使用者が使用で希望する未使用箸が脱落してしまうことを防止することができる。
【００２８】
また、請求項６記載の考案にあっては、支持部はガイド部から移動した未使用箸の頭側に未使用箸を取り上げるための空間部を有することにより、使用者が使用で希望する未使用箸をより取り出し易くすることができる。
【００２９】
また、請求項７記載の考案にあっては、支持部はガイド部から移動した未使用箸が脱落しないように、当該未使用箸を保持する保持面部を有することにより、箸の形状等に起因する脱落を抑制することができる。
【００３０】
また、請求項８記載の考案にあっては、保持面部は収容部に収容された複数の未使用箸の断面形状に応じて、平面部、傾斜面部、一対の凹面部、を有することにより、未使用箸の断面形状に左右されずに良好な保持状態を確保することができる。
【図面の簡単な説明】
【００３１】
【図１】本考案に係る箸収容箱の一実施の形態における収容部とリフタとを別々に構成した場合の箸収容箱を示し、（Ａ）は箸収容状態の箸収容箱の斜視図、（Ｂ）は上昇状態の箸収容箱の斜視図である。
【図２】本考案に係る箸収容箱の一実施の形態における収容部とリフタとを別々に構成した場合の箸収容箱を示し、（Ａ）は箸収容状態の断面図、（Ｂ）は上昇状態の箸収容状態の断面図、（Ｃ）は箸取り出し可能状態の断面図、である。
【図３】本考案に係る箸収容箱の一実施の形態における支持部の一例を示し、（Ａ）は横臥状態の箸の中央部分を支持する例の支持部の側面図、（Ｂ）は臥状態の箸の頭部付近を除く全体を支持する例の支持部の側面図、（Ｃ）は横臥状態の箸の頭部付近に空間部を設けた例の支持部の側面図、である。
【図４】本考案に係る箸収容箱の一実施の形態における保持面部の一例を示し、（Ａ）は保持面部を内向の傾斜面部とした例の支持部の正面図、（Ｂ）は保持面部を凹面部状とした例の支持部の正面図、である。
【図５】本考案に係る箸収容箱の一実施の形態における収容部とリフタとを一体に構成した場合の箸収容箱を示し、（Ａ）は箸収容状態の箸収容箱の斜視図、（Ｂ）は上昇状態の箸収容箱の斜視図である。
【図６】本考案に係る箸収容箱の一実施の形態における収容部とリフタとを一体に構成した場合の箸収容箱を示し、（Ａ）は箸収容状態の断面図、（Ｂ）は上昇状態の箸収容状態の断面図、（Ｃ）は箸取り出し可能状態の断面図、である。
【考案を実施するための形態】
【００３２】
次に、本考案に係る一実施の形態について図面を参照して説明する。
【００３３】
図１及び図２に示すように、箸収容箱１は、全体略直方体であって上部が開口する箱状の収容部２と、収容部２の中央付近の底部から起立する支柱部３と、支柱部３の上端部に設けた支持部４と、支柱部３に沿って昇降可能なリフタ５と、リフタ５に設けたガイド部６とを備えている。
【００３４】
収容部２は、横臥状態で多数の未使用箸Ｓを収容することができる大きさを備え、木製又は樹脂製であって上部が開口して直方体箱状に形成されている。
【００３５】
本実施の形態における収容部２は、リフタ５を複数の未使用箸Ｓと一緒に上昇させた際に安定性を確保する程度の重さを有するのが望ましい。
【００３６】
なお、収容部２の底部を除く四面の内外には、木目風や漆風の塗装等を施すことによって高級感を具備させてもよい。
【００３７】
また、収容部２の上部は、常時開放の状態であってもよく、もしくは、例えば、ある程度の厚さを有する枠体の内側に透明な樹脂又はガラスを装着した回動式の蓋体（図示せず）によって開閉可能としてもよい。
【００３８】
収容部２の互いに対向した配置された長さ方向両側面部の略中央付近には、夫々、ガイド用の開口７、７が開設されている。
【００３９】
支柱部３は、全体薄型の直方体状に形成され、収容部２の底部から起立して設けられ、図２（Ａ）に示すように、リフタ５が下降状態にあるときには上端部が収容部２の上部から突出する高さ寸法を備えている。
【００４０】
実施の形態にあっては、支柱部３は、収容部２内方において長さ方向中央部であってかつ収容部２の幅方向における略中央に配設され、収容部２の長さ方向に沿って所定の長さ寸法を有すると共に所定の幅寸法とを有して形成されており、図２に示すように、二膳分の未使用箸Ｓ、Ｓを並べて載置することができる幅寸法に形成されている。
【００４１】
支持部４は、支柱部３の上端部に設けられて、収容部２に収容された複数の未使用箸Ｓのうちの使用者が把持し得る未使用箸Ｓを支持するように構成されている。
本実施の形態に係る支持部４は、図２（Ｂ）に示すように、ガイド部６から移動した未使用箸Ｓを支持し得る長さ寸法及び幅寸法を有している。
【００４２】
ここで、上記「未使用箸Ｓを支持し得る長さ寸法及び幅寸法」とは、少なくとも一膳分の未使用箸のみを支持し得る長さ寸法及び幅寸法である。
【００４３】
また、支持部４は、幅方向に沿って一対の分割支持部４ａ，４ｂを有する。したがって、各分割支持部４ａ，４ｂの、夫々の幅寸法は、それぞれが一膳分の未使用箸Ｓを支持し得る幅以上の寸法を有しており、各分割支持部４ａ、４ｂは、支柱部３の長さ方向全域に亘って形成されている。
一対の分割支持部４ａ，４ｂの間には突条部８が突設されており、突条部８は支持部４の長さ方向の全域に亘って設けられている。
【００４４】
また、図４（Ａ）、（Ｂ）に示すように、一対の分割支持部４ａ，４ｂには、長さ方向全域に亘って、ガイド部６から移動した未使用箸Ｓが脱落しないように保持される保持面部９ａ，９ｂが設けられている。保持面部９ａ，９ｂは、収容部２に収容された複数の未使用箸Ｓの断面形状に応じて対応できるように、平面部、傾斜面部、一対の凹面部のいずれを設けることもできる。
【００４５】
その結果、保持面部９ａ，９ｂには、夫々、一膳分の未使用箸Ｓを載置することができる。
【００４６】
なお、図３（Ｂ）に示すように、支柱部３は未使用箸Ｓの頭部側の一部が載置されない程度の長さとしてもよく、また、図３（Ｃ）に示すように、未使用箸Ｓの頭部側の一部が空中に浮した状態で支持されるように、支柱部３の一部を切り欠いて形成されたものであってもよい。
【００４７】
この場合、図３（Ａ）〜図３（Ｃ）において、未使用箸Ｓの頭部の下側に存在する空間部１０は、ガイド部６から移動した未使用箸Ｓを取り出す際に、未使用箸Ｓの少なくとも頭側において使用者が指を挿入して把持するために形成されている。
【００４８】
この場合、使用者が箸を取り出す場合には、図３（Ｃ）に示した形態の場合に、使用者が一方の手で未使用箸Ｓの頭部を上から押して、支持部３の端部を利用して先端側を浮かせることにより、他方の手で箸を取り上げることもできる。
【００４９】
保持面部９ａ，９ｂは、図２に示すように、単なる平面部としてもよいが、例えば、図４（Ａ）に示すように、収容部２の幅方向において突条部８に向かって夫々次第に低くなるように傾斜した傾斜面部とすることもできる。
このように保持面部９ａ，９ｂを突条部８に向かって夫々傾斜させた場合には、一膳分の未使用箸Ｓ、Ｓは、夫々、傾斜した保持面部９ａ，９ｂと突条部８の側面部とにより保持される。
【００５０】
また、保持面部９ａ、９ｂの平面形状は、例えば、図４（Ｂ）に示すように、一対の断面半円状の溝部として形成してもよい。このような形状の保持面部とした場合には、断面円形状の箸を良好に保持することができる。
【００５１】
図２に示すように、リフタ５は、収容部２に収容された複数の未使用箸Ｓを載置して支柱部３に沿って昇降できるように形成されている。
本実施の形態にあっては、リフタ５は、収容部２の長さ方向において互いに対向する内側面の内方に配置される一対の外側面部１１、１１と、支柱部３に当接する一対の、外側面部１１、１１よりも低い高さ寸法に形成された内側面部１２、１２と、外側面部１１、１１の上端部から内側面部１２、１２の上端部に対して下向きに傾斜する傾斜ガイド部６とを有している。
また、図１に示すように、リフタ５は、収容部２の長さ方向において、支柱部３と収容部２の一対の幅方向側面部との間に配置される蓋側面部１３、１３と、外側面部１１、１１から外向きに突出して設けられ、収容部２の両側の長さ方向側面部に設けられた一対の開口７、７から突出する一対の操作舌片１４、１４とを有している。
【００５２】
従って、ガイド部６、６は、支柱部３に対して夫々下向きに傾斜しており、支柱部３を挟んでリフタ５に一対設けられ、常時、未送用の箸Ｓが多数載置されていることから、使用時には使用者が操作舌片１４、１４によりリフタ５を上昇させた場合には、収容部２に収容された多数の未使用箸Ｓを上昇させ、リフタ５に載置した多数の未使用箸Ｓのうちの使用者が使用を希望する未使用箸Ｓを横臥状態のまま支持部４の分割支持部４ａ，４ｂに移動させることができる。
なお、ガイド部６の傾斜角度は、収容する未使用箸Ｓの種類によって任意に設定することができる。
【００５３】
即ち、例えば、未使用割り箸や断面形状が略正方形の未使用棒状箸の場合には傾斜角度を大きく設定し、断面形状が円・楕円・多角形の未使用棒状箸の場合には傾斜角度を小さく設定することもできる。
【００５４】
上記のように、箸収容箱１は、横臥状態で複数の未使用箸Ｓを収容する上部が開放可能な直方体箱状の収容部２と、収容部２の底部から起立する支柱部３と、支柱部３の上端部に設けられて収容部２に収容された複数の未使用箸Ｓのうちの使用者が把持し得る未使用箸Ｓを支持する支持部４と、収容部２に収容された複数の未使用箸Ｓを載置して支柱部３に沿って昇降可能なリフタ５と、リフタ５に設けられて、当該リフタ５を上昇させることにより収容部２に収容された複数の未使用箸Ｓを上昇させ、リフタ５に載置した複数の未使用箸Ｓのうちの使用者が使用で希望する未使用箸Ｓを横臥状態のまま支持部４に移動させるガイド部６とを備えている。
【００５５】
従って、上部が開放可能な箱状の収容部２に横臥状態で複数の未使用箸Ｓが収容され、収容部２には、その上部から上端部が突出するように起立した支柱部３が設けられており、この突出した上端部の支持部４で複数の未使用箸Ｓのうちの一膳分の未使用箸Ｓを支持することができる。
【００５６】
一方、収容部２には、使用者による一方の操作舌片１４の操作に連動して支柱部３に沿って昇降可能であると共に上昇時に収容部２に載置した複数の未使用箸Ｓを連上昇させるリフタ５を備えている。
【００５７】
その結果、例えば、図２（Ｃ）に示す状態から、図２（Ｂ）に示すように、使用者が操作舌片１４を指により押上げてリフタ５を上昇させると、ガイド部６に載置された複数の未使用箸Ｓのうちの一対の一膳分の未使用箸Ｓが横臥状態のまま支持部４に移動し、各分割支持部４ａ、４ｂにより支持される。この場合、各分割支持部４ａ，４ｂの幅寸法は、それぞれが一膳分の未使用箸Ｓを支持し得る幅以上の寸法を有していることから、それぞれ一膳分の未使用箸Ｓのみが載置され、それ他の箸Ｓは載らない。
【００５８】
また、支柱部３の上端部は収容部２の上端部から突出するような高さ寸法に形成されていることから、使用者は上方から容易に箸Ｓを取り出すことができる。
【００５９】
使用者は、保持面部９ａ，９ｂに一膳分の未使用箸Ｓが移動したことを確認した場合には、図２（Ｃ）に示すように、操作舌片１４を指により操作してリフタ５を下降させる。
【００６０】
従って、指によりリフタ５を昇降させるという片手の操作だけで、横臥状態のまま一膳分の未使用箸Ｓを支柱部３の上端部である支持部４（分割支持部４ａ，４ｂ）の保持面部９ａ，９ｂに移動させることができ、片手操作で横臥状態の一膳分の未使用箸Ｓを容易に取り出すことができる。
また、図２に示すように、各分割支持部４ａ，４ｂに、夫々箸Ｓを載置でき、全体として２膳分の箸を準備することができることから、必要に応じて２膳分の箸Ｓを容易に把持して取り出し、使用することができる。
【００６１】
このように、本実施形態にかかる箸収容箱１は、従来のように、スプリング等の機械的要素を用いることなく部品点数の低減することができると共に、利用者の片手による操作で一膳分の未使用箸Ｓを取り出すことができる。
【００６２】
また、一膳分の未使用箸Ｓが横臥状態でそのまま取り出し可能となっているため、箸の軸方向に引き抜くといった手間を必要とせず、そのまま自分の方向に向けて箸を取り出すことができる。
【００６３】
したがって、一膳分の未使用箸Ｓの取り出す際に、従来の様な、箸収容箱１に全く触れるような操作は全く必要がないために、片手の指の操作のみにより取出しが可能であることから非常に容易、かつ迅速に、清潔な状態の箸を取り出すことができる。
【００６４】
また、支持部４は、複数の未使用箸Ｓの長さ方向と直行する方向に隣接する分割支持部４ａ，４ｂの間に突条部８を有し、突条部８の両側に夫々、箸Ｓ、Ｓが配置されていることから、例えば、対面する二人の使用者の間に本実施の形態に係る箸収容箱１が置かれた場合には、双方の使用者が同時に各一膳分の未使用箸Ｓを、互いに混在することなく取り出すことができる。
【００６５】
また、支持部４は、一膳分の未使用箸Ｓの頭側に当該一膳分の未使用箸Ｓを取り上げるための空間部１０が設けられていることにより、一膳分の未使用箸Ｓをより取り出し易くすることができる。
【００６６】
また、保持面部９ａ，９ｂは、収容した複数の未使用箸Ｓの断面形状に応じて、平面部、傾斜面部、又は一対の凹面部に形成されていることにより、箸の断面形状に対応して未使用箸Ｓの形状等に起因する脱落を有効に防止することができる。
【００６７】
また、ガイド部６は、支柱部３に対して下向きに傾斜していることにより、一膳分の未使用箸Ｓが脱落してしまう事態を防止することができる。
【００６８】
本実施形態の箸収容箱１の具体的構成は、上述した形態に限定されるものではなく、各種の変更等が可能である。
【００６９】
例えば、上記実施の形態では、収容部２とリフタ５とを別々に構成し、リフタ５のみを昇降させる構成を開示したが上記実施の形態に限定されない。
【００７０】
具体的には、図５及び図６に示すように、箸収容箱２１の収容部２２とリフタ２３とを一体化し、収容部２２を昇降させる構成としてもよい。
【００７１】
この場合、収容部２２は前後左右の４面構成であって底面は別部材とし、すなわち、昇降しない底板２４で構成して底板２４に支柱部３を設けてもよい。
【００７２】
なお、図５及び図６において、上記実施の形態を同一の構成若しくは機能的に同一の構成には同一の符号を付して、その詳細な説明は省略する。
【００７３】
以上説明したように、本考案に係る箸収容箱１，２１は、収容部に横臥状態で収容された複数膳分の未使用箸の中から、使用者が使用で希望する未使用箸を片手操作で容易かつ衛生的に取り出すことができるという効果を有し、飲食物を提供する店舗において、一膳分の未使用箸をテーブル等に座った使用者に取り出してもらうように、複数膳分の未使用棒状箸又は未使用割り箸を寝かせた状態（横臥状態）で収容した箸収容箱全般に有用である。
【産業上の利用可能性】
【００７４】
本考案に係る箸収容箱は、広く箸を収容する箱に利用することができることから、産業上の利用可能性を有している。
【符号の説明】
【００７５】
１    箸収容箱
２    収容部
３    支柱部
４    支持部
４ａ  分割支持部
４ｂ  分割支持部
５    リフタ
６    ガイド部
７    開口
８    突条部
９ａ  保持面部
９ｂ  保持面部
１０  空間部
１１  外側面部
１２  内側面部
１３  蓋側面部
１４  操作舌片
２１  箸収容箱
２２  収容部
２３  リフタ
２４  底板
Ｓ    未使用箸
【図１】
0003216886.tif 000003
【図２】
0003216886.tif 000004
【図３】
0003216886.tif 000005
【図４】
0003216886.tif 000006
【図５】
0003216886.tif 000007
【図６】
0003216886.tif 000008